(57)【要約】【課題】情報記録媒体の返却時や返却後に、記憶手段に記憶された情報が漏洩するのを防止する。【解決手段】磁気カードリーダライタは、情報読み取り時の場合、磁気カードを本体内部に取り込むと、その磁気カードから情報を読み取り、読み取った情報をＲＡＭに記憶する。そして、上位装置と通信を行ってＲＡＭに記憶した読み取り情報を送信した後、上位装置との通信が完了すると、ＲＡＭから読み取り情報の消去を開始し、開始後、磁気カードを本体内部から排出する。このようにすると、磁気カードの排出時や排出後、つまり磁気カードの返却時や返却後には、読み取り情報がＲＡＭから消去中であるか、あるいは消去されているので、ＲＡＭに記憶した読み取り情報が第三者に漏洩するのを防止することができる。【選択図】    図５
2004280308.tif 000002
【特許請求の範囲】
【請求項１】
情報記憶媒体が本体内部に取り込まれた後に、当該情報記憶媒体から情報を読み取る読み取り手段と、
前記読み取り手段によって読み取られた読み取り情報を記憶する記憶手段と、
前記記憶手段に記憶された読み取り情報を上位装置に送信する送信手段と、
前記送信手段が読み取り情報を送信した後に、前記記憶手段に記憶された読み取り情報を消去する消去手段と、
前記消去手段が読み取り情報の消去を開始した後に、前記情報記憶媒体を本体内部から排出する排出手段と、を備えたことを特徴とする情報読み取り装置。
【請求項２】
請求項１に記載の情報読み取り装置において、
前記排出手段は、前記消去手段が読み取り情報の消去を完了した後に、前記情報記憶媒体を本体内部から排出することを特徴とする情報読み取り装置。
【請求項３】
情報記憶媒体が本体内部に取り込まれた後に、当該情報記憶媒体が取り出されることを規制する規制手段と、
前記情報記憶媒体から情報を読み取る読み取り手段と、
前記読み取り手段によって読み取られた読み取り情報を記憶する記憶手段と、
前記記憶手段に記憶された読み取り情報を上位装置に送信する送信手段と、
前記送信手段が読み取り情報を送信した後に、前記記憶手段に記憶された読み取り情報を消去する消去手段と、を備え、
前記規制手段は、前記消去手段が読み取り情報の消去を開始した後に、前記情報記憶媒体に対する規制を解除して、情報記憶媒体を本体内部から取り出し可能にすることを特徴とする情報読み取り装置。
【請求項４】
請求項１ないし請求項３のいずれかに記載の情報読み取り装置において、
前記読み取り情報は、前記情報記憶媒体に固有の識別情報であることを特徴とする情報読み取り装置。
【請求項５】
上位装置から情報記憶媒体に書き込む書き込み情報を受信する受信手段と、
前記受信手段によって受信された書き込み情報を記憶する記憶手段と、
情報記憶媒体が本体内部に取り込まれた後に、当該情報記憶媒体に前記記憶手段に記憶された書き込み情報を書き込む書き込み手段と、
前記書き込み手段が書き込みを完了した後に、前記記憶手段に記憶された書き込み情報を消去する消去手段と、
前記消去手段が書き込み情報の消去を開始した後に、前記情報記憶媒体を本体内部から排出する排出手段と、を備えたことを特徴とする情報書き込み装置。
【請求項６】
請求項５に記載の情報書き込み装置において、
前記排出手段は、前記消去手段が読み取り情報の消去を完了した後に、前記情報記憶媒体を本体内部から排出することを特徴とする情報書き込み装置。
【請求項７】
上位装置から情報記憶媒体に書き込む書き込み情報を受信する受信手段と、
前記受信手段によって受信された書き込み情報を記憶する記憶手段と、
情報記憶媒体が本体内部に取り込まれた後に、当該情報記憶媒体が取り出されることを規制する規制手段と、
前記情報記憶媒体に前記記憶手段に記憶された書き込み情報を書き込む書き込み手段と、
前記書き込み手段が書き込みを完了した後に、前記記憶手段に記憶された書き込み情報を消去する消去手段と、を備え、
前記規制手段は、前記消去手段が書き込み情報の消去を開始した後に、前記情報記憶媒体に対する規制を解除して、情報記憶媒体を本体内部から取り出し可能にすることを特徴とする情報書き込み装置。
【請求項８】
請求項５ないし請求項７のいずれかに記載の情報書き込み装置において、
前記書き込み情報は、前記情報記憶媒体に固有の識別情報であることを特徴とする情報書き込み装置。
【請求項９】
ＣＰＵを備えた情報読み取り装置に、以下の処理を実行させることを特徴とする情報読み取り装置用プログラム。
（ａ）情報記憶媒体が前記情報読み取り装置の本体内部に取り込まれた後に、当該情報記憶媒体から情報を読み取る読み取り処理。
（ｂ）前記読み取り処理で読み取った読み取り情報を記憶手段に記憶する記憶処理。
（ｃ）前記記憶手段に記憶された読み取り情報を上位装置に送信する送信処理。
（ｄ）前記送信処理で読み取り情報を送信した後に、前記記憶手段に記憶された読み取り情報を消去する消去処理。
（ｅ）前記消去処理で読み取り情報の消去を開始した後に、前記情報記憶媒体を本体内部から排出する排出処理。
【請求項１０】
ＣＰＵを備えた情報書き込み装置に、以下の処理を実行させることを特徴とする情報書き込み装置用プログラム。
（ａ）上位装置から情報記憶媒体に書き込む書き込み情報を受信する受信処理。
（ｂ）前記受信処理で受信した書き込み情報を記憶手段に記憶する記憶処理。
（ｃ）情報記憶媒体が前記情報書き込み装置の本体内部に取り込まれた後に、当該情報記憶媒体に前記記憶手段に記憶された書き込み情報を書き込む書き込み処理。
（ｄ）前記書き込み処理を完了した後に、前記記憶手段に記憶された書き込み情報を消去する消去処理。
（ｅ）前記消去処理で書き込み情報の消去を開始した後に、前記情報記憶媒体を本体内部から排出する排出処理。
【発明の詳細な説明】
【０００１】
【発明の属する技術分野】
本発明は、例えば磁気カードやＩＣカードのような情報記憶媒体を内部に取り込み、情報記憶媒体から情報を読み取る情報読み取り装置と、情報記憶媒体に情報を書き込む情報書き込み装置に関するものである。
【０００２】
【従来の技術】
情報記憶媒体から情報を読み取る情報読み取り装置や、情報記憶媒体に情報を書き込む情報書き込み装置として機能する装置に、例えば磁気カードやＩＣカードのような媒体に対して情報の読み取りまたは書き込みを行うカードリーダライタがある。カードリーダライタは、利用者によってカードが挿入されると、挿入されたカードを本体内部に取り込んで当該カードから情報を読み取る。そして、読み取った情報を記憶手段であるＲＡＭ等のメモリに記憶した後、その情報をメモリから読み出して上位装置に送信する。読み取り情報を受信した上位装置は、その情報に基づいて所定の処理を行い、処理が完了すると、カードリーダライタに処理の完了を通知する。この通知を受信したカードリーダライタは、カードを本体内部から排出または取り出し可能にする等して利用者に返却し、カードに対する処理を終了する。カードリーダライタのメモリに記憶された読み取り情報は、次に挿入されたカードから情報が読み取られると、次のカードの読み取り情報に更新される。つまり、前のカードから読み取った情報は、次のカードから読み取った情報に更新されるまで、メモリに記憶されたままとなっている。
【０００３】
また、カードリーダライタは、利用者によって挿入されたカードを本体内部に取り込んで、当該カードに情報を書き込む。具体的には、カードを本体内部に取り込んだ後、上位装置からカードに書き込む情報を受信して、メモリに記憶する。そして、その書き込み情報をメモリから読み出してカードに書き込んで行き、書き込みが完了した後、カードを利用者に返却して、カードに対する処理を終了する。カードリーダライタのメモリに記憶された書き込み情報は、次に挿入されたカードへの書き込み情報が上位装置から送信されて来ると、次のカードへの書き込み情報に更新される。つまり、前のカードへの書き込み情報は、次のカードへの書き込み情報を受信してその書き込み情報に更新されるまでメモリに記憶されたままとなっている。
【０００４】
ところが、上記のようにカードからの読み取り情報またはカードへの書き込み情報がメモリに記憶されたままになっていると、カードを返却した後に、悪意を持った第三者がカードリーダライタを無理矢理開けてメモリから情報を盗み取るというように、読み取り情報または書き込み情報が第三者に漏洩してしまうおそれがある。読み取り情報または書き込み情報が第三者に漏洩してしまった場合、その情報からカードが偽造されて悪用されることがあるので、上記のようなメモリからの情報の漏洩を防止するための対策が必要となる。
【０００５】
一方、下記の特許文献１には、外部記憶媒体から情報を読み出してメモリに記憶し、このメモリ内の情報を取り込んだＩＣカードに書き込んでＩＣカードの発行が終了した後に、メモリから情報を消去するＩＣカード発行装置が記載されている。しかし、この装置では、ＩＣカードの発行が終了した後、つまりＩＣカードを装置内部から排出した後にメモリから情報が消去されるので、装置がＩＣカードを排出する際に、悪意の第三者がＩＣカードを排出させないようにカードの出入口を塞げば、その間メモリには情報が記憶されたままとなり、メモリ内の情報が第三者に漏洩してしまうおそれがある。
【０００６】
また、下記の特許文献２には、主記憶部に個人データファイルを記憶し、補助記憶部に鍵データを記憶していて、それらのファイルおよびデータを各記憶部から読み出して命令データを作成し、作成した命令データを取り込んだＩＣカードに書き込んだ後に、鍵データの先頭のレコードを削除して、ＩＣカードを排出するＩＣカード発行装置が記載されている。しかし、この装置では、鍵データの先頭のレコードだけを削除していて、鍵データの先頭以外のレコードや個人データファイルといった情報は、ＩＣカードを排出した後も各記憶部に記憶されたままになっているので、それらの情報が第三者に漏洩してしまうおそれがある。
【０００７】
また、下記の特許文献３には、キーファイルが記憶されたＩＣカードが挿入されると、ＩＣカードからキーファイルを読み取ってメモリに記憶し、記憶したキーファイルに基づいて外部のサーバとの間に仮想専用回線を構築した後、通信を行い、通信中にＩＣカードが引き抜かれた場合に、メモリからキーファイルを削除する通信装置が記載されている。しかし、この装置では、ＩＣカードが引き抜かれるまでの間は、キーファイルという情報がメモリに記憶されたままになっているので、その情報が第三者に漏洩してしまうおそれがある。また、この装置では、ＩＣカードが引き抜かれることなく通信が終了した場合に、メモリからキーファイルを削除するようになっているが、ＩＣカードを返却するタイミングについては全く記載されていない。
【０００８】
さらに、下記の特許文献４には、ＩＤ情報が記憶されたプリペイドカードが挿入されると、これのＩＤ情報に基づいて外部の管理装置から当該カードの残高情報を取得してメモリに記憶し、その後、記憶した残高情報をインターネットを介した通信の接続料金に応じて減額して行き、通信が終了すると、メモリの残高情報を管理装置に送信した後、メモリから残高情報を削除して、カードを返却する装置が記載されている。しかし、この装置では、カードに記憶されていたＩＤ情報をどこに記憶するかについては全く記載されていない。
【０００９】
【特許文献１】
特開２００１−２９１０６４号公報
【特許文献２】
特開２００１−３３８２６７号公報（第６−７頁、図５）
【特許文献３】
特開平１０−２８５１５３号公報（第７−８頁、図１３）
【特許文献４】
特開２００３−８７８８号公報（第３−４頁、図２）
【００１０】
【発明が解決しようとする課題】
本発明は、上記問題点を解決するものであって、その課題とするところは、情報記録媒体の返却時や返却後に、記憶手段に記憶された情報が漏洩するのを防止することができる情報読み取り装置、情報書き込み装置、およびそれらに用いられるプログラムを提供することにある。
【００１１】
【課題を解決するための手段】
本発明に係る情報読み取り装置は、情報記憶媒体が本体内部に取り込まれた後に、当該情報記憶媒体から情報を読み取る読み取り手段と、読み取り手段によって読み取られた読み取り情報を記憶する記憶手段と、記憶手段に記憶された読み取り情報を上位装置に送信する送信手段と、送信手段が読み取り情報を送信した後に、記憶手段に記憶された読み取り情報を消去する消去手段と、消去手段が読み取り情報の消去を開始した後に、情報記憶媒体を本体内部から排出する排出手段とを設けている。なお、消去手段による記憶手段からの読み取り情報の消去は、送信手段が読み取り情報を送信した後に、上位装置から読み取り情報の受信を完了したことを知らせる受信完了通知を受けたとき、または、上位装置から受信した読み取り情報に基づく所定の処理を完了したことを知らせる処理完了通知を受けたときに開始する。
【００１２】
また、本発明に係る情報読み取り装置用プログラムは、ＣＰＵを備えた情報読み取り装置に、情報記憶媒体が本体内部に取り込まれた後に当該媒体から情報を読み取る読み取り処理と、読み取った読み取り情報を記憶手段に記憶する記憶処理と、記憶手段に記憶された読み取り情報を上位装置に送信する送信処理と、読み取り情報を送信した後に記憶手段に記憶された読み取り情報を消去する消去処理と、読み取り情報の消去を開始した後に情報記憶媒体を本体内部から排出する排出処理とを実行させる。
【００１３】
上記のように、読み取り情報の消去を開始した後に情報記憶媒体を本体内部から排出すると、情報記憶媒体の排出時や排出後、つまり情報記憶媒体の返却時や返却後には、読み取り情報が記憶手段から消去中であるか、あるいは消去されている。そのため、情報記憶媒体の返却時や返却後に、記憶手段に記憶された読み取り情報が第三者に漏洩するのを防止することができる。
【００１４】
また、本発明に係る情報読み取り装置においては、排出手段は、消去手段が読み取り情報の消去を完了した後に、情報記憶媒体を本体内部から排出する。このようにすると、情報記憶媒体の返却時や返却後には、読み取り情報が記憶手段から完全に消去されているので、記憶手段に記憶された読み取り情報が第三者に漏洩するのを一層確実に防止することができる。
【００１５】
また、本発明の他の実施形態に係る情報読み取り装置においては、情報記憶媒体が本体内部に取り込まれた後に、当該情報記憶媒体が取り出されることを規制する規制手段と、情報記憶媒体から情報を読み取る読み取り手段と、読み取り手段によって読み取られた読み取り情報を記憶する記憶手段と、記憶手段に記憶された読み取り情報を上位装置に送信する送信手段と、送信手段が読み取り情報を送信した後に、記憶手段に記憶された読み取り情報を消去する消去手段とを設けている。このような構成において、規制手段は、消去手段が読み取り情報の消去を開始した後に、情報記憶媒体に対する規制を解除して、情報記憶媒体を本体内部から取り出し可能にする。
【００１６】
このように、読み取り情報の消去を開始した後に情報記憶媒体を本体内部から取り出し可能にすると、排出手段を備えておらず情報記憶媒体を本体内部から手動で取り出す手動式の情報読み取り装置であっても、情報記憶媒体の取り出し時や取り出し後、つまり情報記憶媒体の返却時や返却後には、読み取り情報が記憶手段から消去中であるか、あるいは消去されている。そのため、情報記憶媒体の返却時や返却後に、記憶手段に記憶された読み取り情報が第三者に漏洩するのを防止することができる。
【００１７】
また、本発明に係る情報書き込み装置は、上位装置から情報記憶媒体に書き込む書き込み情報を受信する受信手段と、受信手段によって受信された書き込み情報を記憶する記憶手段と、情報記憶媒体が本体内部に取り込まれた後に、当該情報記憶媒体に記憶手段に記憶された書き込み情報を書き込む書き込み手段と、書き込み手段が書き込みを完了した後に、記憶手段に記憶された書き込み情報を消去する消去手段と、消去手段が書き込み情報の消去を開始した後に、情報記憶媒体を本体内部から排出する排出手段とを設けている。
【００１８】
また、本発明に係る情報書き込み装置用プログラムは、ＣＰＵを備えた情報書き込み装置に、上位装置から情報記憶媒体に書き込む書き込み情報を受信する受信処理と、受信した書き込み情報を記憶手段に記憶する記憶処理と、情報記憶媒体が本体内部に取り込まれた後に当該媒体に記憶手段に記憶された書き込み情報を書き込む書き込み処理と、書き込み処理を完了した後に記憶手段に記憶された書き込み情報を消去する消去処理と、書き込み情報の消去を開始した後に情報記憶媒体を本体内部から排出する排出処理とを実行させる。
【００１９】
このように、書き込み情報の消去を開始した後に情報記憶媒体を本体内部から排出すると、情報記憶媒体の排出時や排出後、つまり情報記憶媒体の返却時や返却後には、書き込み情報が記憶手段から消去中であるか、あるいは消去されている。そのため、情報記憶媒体の返却時や返却後に、記憶手段に記憶された書き込み情報が第三者に漏洩するのを防止することができる。
【００２０】
また、本発明に係る情報書き込み装置においては、排出手段は、消去手段が読み取り情報の消去を完了した後に、情報記憶媒体を本体内部から排出する。このようにすると、情報記憶媒体の返却時や返却後には、書き込み情報が記憶手段から完全に消去されているので、記憶手段に記憶された書き込み情報が第三者に漏洩するのを一層確実に防止することができる。
【００２１】
また、本発明の他の実施形態に係る情報書き込み装置は、上位装置から情報記憶媒体に書き込む書き込み情報を受信する受信手段と、受信手段によって受信された書き込み情報を記憶する記憶手段と、情報記憶媒体が本体内部に取り込まれた後に、当該情報記憶媒体が取り出されることを規制する規制手段と、情報記憶媒体に記憶手段に記憶された書き込み情報を書き込む書き込み手段と、書き込み手段が書き込みを完了した後に、記憶手段に記憶された書き込み情報を消去する消去手段とを設けている。このような構成において、規制手段は、消去手段が書き込み情報の消去を開始した後に、情報記憶媒体に対する規制を解除して、情報記憶媒体を本体内部から取り出し可能にする。
【００２２】
このように、書き込み情報の消去を開始した後に情報記憶媒体を本体内部から取り出し可能にすると、排出手段を備えておらず情報記憶媒体を本体内部から手動で取り出す手動式の情報書き込み装置であっても、情報記憶媒体の取り出し時や取り出し後、つまり情報記憶媒体の返却時や返却後には、書き込み情報が記憶手段から消去中であるか、あるいは消去されている。そのため、情報記憶媒体の返却時や返却後に、記憶手段に記憶された書き込み情報が第三者に漏洩するのを防止することができる。
【００２３】
さらに、本発明は、特に、情報記憶媒体から読み取った読み取り情報および情報記憶媒体に書き込む書き込み情報が、情報記憶媒体に固有の識別情報である場合に、識別情報が第三者に漏洩して情報記憶媒体が偽造されるのを未然に防止できる点で有意義である。
【００２４】
【発明の実施の形態】
図１は、磁気カードリーダライタの概略構造を示す図である。図１において、１０は磁気カードリーダライタであって、例えば自動現金取引処理装置やカード発行装置のような上位装置３０（図３に図示）に接続されている。この磁気カードリーダライタ１０は、上位装置３０の電源部から電流を供給されて起動する。１は磁気カードリーダライタ１０の本体、１ａは本体１の内部空間（以下、本体内部と記す）、１ｂは所定の情報を記憶可能な磁気カード２が挿入される挿入口である。２ａは磁気カード２の先端部、２ｂは後端部である。３はソレノイド２０（図３に図示）によってＵ、Ｄ方向に開閉するシャッタである。このシャッタ３は常時開いた状態になっていて、磁気カード２が挿入口１ｂから挿入された後に、図１に示すように閉じた状態になり、磁気カード２を本体内部１ａから取り出せないようにする。また、シャッタ３は、磁気カード２を本体内部１ａから排出する際、Ｕ方向に移動して開いた状態になり、それによって磁気カード２が本体内部１ａから排出され、取り出せるようになる。
【００２５】
４はモータ１７（図３に図示）によって回転する上下１対のローラであって、モータ１７が正転駆動すると磁気カード２をＦ方向へ搬送し、モータ１７が逆転駆動すると磁気カード２をＢ方向へ搬送する。このローラ４は、磁気カード２が挿入口１ｂから挿入されると、モータ１７の正転駆動によって磁気カード２をＦ方向へ搬送し、本体内部１ａに取り込む。また、ローラ４は、本体内部１ａにある磁気カード２をモータ１７の逆転駆動によってＢ方向へ搬送し、本体内部１ａから排出する。５は搬送される磁気カード２と接するように配置された磁気ヘッドであって、磁気カード２から情報を読み取ったり、磁気カード２に対して情報を書き込む。本実施形態では、磁気ヘッド５は、磁気カード２からの情報の読み取りを磁気カード２がＦ方向へ搬送されているときとＢ方向へ搬送されているときの両方で行い、磁気カード２への情報の書き込みを磁気カード２がＦ方向へ搬送されているときに行う。
【００２６】
１１〜１３は搬送される磁気カード２を検知するセンサであって、フォトマイクロセンサから構成される。これらのセンサ１１〜１３は磁気カード２を検知していないときはＯＦＦ状態であるが、磁気カード２を検知するとＯＮ状態になる。以下、１１は第１センサ、１２は第２センサ、１３は第３センサと記す。第１センサ１１が、挿入口１ｂから挿入されてＦ方向へ搬送されている磁気カード２の先端部２ａを検知してＯＮ状態になった後、磁気カード２の後端部２ｂを検知してＯＦＦ状態になると、磁気カード２が完全に本体内部１ａに取り込まれ、シャッタ３が閉じられる。第２センサ１２が、本体内部１ａに取り込まれてＦ方向へ搬送されている磁気カード２の先端部２ａを検知してＯＮ状態になると、磁気ヘッド５は磁気カード２に対して情報の読み取りまたは書き込みを開始する。そしてこの後、第３センサ１３が磁気カード２の先端部２ａを検知してＯＮ状態になると、磁気ヘッド５は磁気カード２に対する情報の読み取りまたは書き込みを完了する。
【００２７】
以上において、ローラ４とモータ１７とは、本発明における排出手段を構成し、磁気ヘッド５は、本発明における読み取り手段および書き込み手段を構成する。そして、磁気カード２は、本発明における情報記憶媒体を構成し、磁気カードリーダライタ１０は、本発明における情報読み取り装置および情報書き込み装置を構成する。
【００２８】
図２は、前述した磁気カード２の外形と磁気ヘッド５の構造を示す図である。図２において、磁気カード２には、磁気ヘッド５と接する面に磁気ストライプ２ｃが設けられていて、この磁気ストライプ２ｃには３つのトラックＴ１〜Ｔ３が形成されている。これらのトラックＴ１〜Ｔ３には磁気カード２に固有の識別情報がそれぞれ磁気記録されている。例えば、トラックＴ１には磁気カード２の所有者の氏名、トラックＴ２には所有者の電話番号、トラックＴ３にはＩＤ番号や暗証番号がそれぞれ記録されている。一方、磁気ヘッド５には、磁気ストライプ２ｃの３つのトラックＴ１〜Ｔ３にそれぞれ接するように３つのコア５ａ〜５ｃが設けられている。磁気カード２から情報を読み取る際、各トラックＴ１〜Ｔ３の磁力の変化を３つのコア５ａ〜５ｃによってそれぞれ検知すると、３つのトラックＴ１〜Ｔ３から同時に情報が読み取れる。また、磁気カード２に情報を書き込む際、各コア５ａ〜５ｃに巻き付けられているコイル（図示省略）に書き込む情報に応じた書き込み電流を同時に流すと、３つのトラックＴ１〜Ｔ３に同時に情報が書き込める。なお、１つのコアで１つのトラックに対して情報の読み取りまたは書き込みを行うことができ、また、２つのコアで２つのトラックに同時に情報の読み取りまたは書き込みを行うこともできる。
【００２９】
図３は、磁気カードリーダライタ１０の電気的構成を示すブロック図である。図３において、６は磁気カードリーダライタ１０の各部を制御するＣＰＵである。７はＣＰＵ６の動作プログラム等を記憶したＲＯＭである。本発明における情報読み取り装置用プログラムと情報書き込み装置用プログラムとは、このＲＯＭ７にそれぞれ記憶されている。８はＣＰＵ６が各部を制御する制御データを読み書き可能に記憶するＲＡＭである。このＲＡＭ８には、磁気ヘッド５によって磁気カード２から読み取った読み取り情報や、磁気カード２に書き込む書き込み情報を記憶するための領域が設けられている。図４は、ＲＡＭ８の記憶領域の一部を示す図である。図４において、Ｒａは読み取り情報記憶領域である。磁気カード２の３つのトラックＴ１〜Ｔ３から読み取った読み取り情報は、トラック毎にＣＰＵ６によってこの読み取り情報記憶領域Ｒａに記憶される。詳しくは、トラックＴ１からの読み取り情報はトラック１領域Ｒ１に、トラックＴ２からの読み取り情報はトラック２領域Ｒ２に、トラックＴ３からの読み取り情報はトラック３領域Ｒ３にそれぞれ記憶される。Ｗａは書き込み情報記憶領域であって、磁気カード２の３つのトラックＴ１〜Ｔ３に書き込む書き込み情報がトラック毎にＣＰＵ６によって記憶される。詳しくは、トラックＴ１の情報はトラック１領域Ｗ１に、トラックＴ２の情報はトラック２領域Ｗ２に、トラックＴ３の情報はトラック３領域Ｗ３にそれぞれ記憶される。なお、読み取り情報や書き込み情報は、前述した氏名、電話番号、ＩＤ番号、暗証番号等のような磁気カード２に固有の識別情報である。読み取り情報記憶領域Ｒａや書き込み情報記憶領域Ｗａに記憶された情報は、後述するようにＣＰＵ６によって消去される。
【００３０】
図３において、１４は読み取り制御部であって、磁気カード２から情報を読み取る際に、磁気ヘッド５によって検知した磁気カード２の磁力の変化から情報を生成する。１５は書き込み制御部であって、磁気カード２に情報を書き込む際に、書き込み情報に基づいて磁気ヘッド５に流す書き込み電流を制御する。ＣＰＵ６は、読み取り制御部１４や書き込み制御部１５によって磁気ヘッド５を制御する。１６はモータ制御部であって、モータ１７の回転方向や回転速度を制御する。ＣＰＵ６は、このモータ制御部１６によってモータ１７を正転駆動または逆転駆動し、前述のローラ４を回転させて磁気カード２をＦ方向またはＢ方向へ搬送させる。１８はモータ１７の回転数を検出するロータリーエンコーダである。１９はソレノイド制御部であって、ソレノイド２０の駆動を制御する。ＣＰＵ６は、このソレノイド制御部１９によってソレノイド２０を駆動し、前述のシャッタ３をＵ、Ｄ方向に開閉する。
【００３１】
２１はカード位置検出部であって、前述のセンサ１１〜１３の切り替り信号によって磁気カード２の位置を検出する。具体的には、磁気カード２のＦ方向への搬送時は、第１センサ１１のＯＮ状態からＯＦＦ状態への切り替り信号によって挿入口１ｂから挿入された磁気カード２が本体内部１ａに取り込まれたことを検出する。また、磁気カード２のＦ方向への搬送時、第２センサ１２のＯＦＦ状態からＯＮ状態への切り替り信号によって、磁気カード２が磁気ヘッド５による情報の読み取りまたは書き込みを開始できる位置に搬送されたことを検出し、その後第３センサ１３のＯＦＦ状態からＯＮ状態への切り替り信号によって、磁気カード２が磁気ヘッド５による情報の読み取りまたは書き込みを完了する位置に搬送されたことを検出する。また、カード位置検出部２１は、挿入検知センサ９の切り替り信号によって磁気カード２が磁気カードリーダライタ１０に挿入されたことを検出する。なお、挿入検知センサ９は、図１に示す複数のローラ４のうち最もＢ方向側にあるローラ４と同じ位置に設けられていて、挿入口１ｂから挿入された磁気カード２の先端部２ａがこのローラ４に当接すると、ＯＦＦ状態からＯＮ状態へ切り替る。このように挿入検知センサ９が切り替ると、ＣＰＵ６はこの切り替り信号を受けてモータ１７を正転駆動し、ローラ４の回転によって磁気カード２をＦ方向へ搬送して本体内部１ａに取り込む。２２はタイマであって、後述するようにＲＡＭ８の読み取り情報記憶領域Ｒａまたは書き込み情報記憶領域Ｗａに記憶されている情報の消去を開始してからの時間を計測する。２３は上位装置３０と相互に通信を行うためのインターフェースからなる通信部である。ＣＰＵ６は、この通信部２３によって上位装置３０に磁気カード２から読み取った読み取り情報を送信し、上位装置３０から磁気カード２に書き込む書き込み情報を受信する。
【００３２】
以上の構成において、ＣＰＵ６は、本発明における消去手段を構成し、ＲＡＭ８は、本発明における記憶手段を構成し、通信部２３は、本発明における送信手段および受信手段を構成する。
【００３３】
図５は、上記磁気カードリーダライタ１０の情報読み取り時の動作手順を示すフローチャートであって、本発明に係る情報読み取り装置用プログラムに基づいてＣＰＵ６が実行する処理を示している。図６は、ＲＡＭ８から情報を消去する消去処理の詳細を示すフローチャートであって、図５と同様にＣＰＵ６が実行する処理を示している。図５において、挿入口１ｂから磁気カード２が挿入されると、挿入検知センサ９がＯＮ状態になるので（ステップＳ１：ＹＥＳ）、この信号を受けてＣＰＵ６は、モータ１７を正転駆動し、磁気カード２をＦ方向へ搬送して本体内部１ａに取り込んで行く（ステップＳ２）。そして、第１センサ１１がＯＮ状態になった後ＯＦＦ状態になると（ステップＳ３：ＹＥＳ）、磁気カード２が本体内部１ａに取り込まれたと判断して、シャッタ３を閉じる（ステップＳ４）。シャッタ３を閉じた後、第２センサ１２がＦ方向へ搬送されている磁気カード２を検知してＯＮ状態になると（ステップＳ５：ＹＥＳ）、磁気ヘッド５によって磁気カード２のトラックＴ１〜Ｔ３からの情報の読み取りを開始する（ステップＳ６）。そして、第３センサ１３がＯＮ状態になると（ステップＳ７：ＹＥＳ）、磁気ヘッド５による情報の読み取りを停止し、これとともにモータ１７の駆動を停止して（ステップＳ８）、磁気カード２の搬送を停止する。
【００３４】
その後は、磁気カード２のトラックＴ１〜Ｔ３から読み取った読み取り情報をＲＡＭ８の読み取り情報記憶領域Ｒａ内の領域Ｒ１〜Ｒ３にトラック毎に記憶する（ステップＳ９）。なお、ここで記憶した読み取り情報は、前述したように磁気カード２に固有の識別情報である。読み取り情報を記憶すると、通信部２３によって上位装置３０と通信を行い、ＲＡＭ８に記憶した読み取り情報を上位装置３０に送信する（ステップＳ１０）。これにより、上位装置３０は読み取り情報を受信し、受信が完了したことを知らせる受信完了通知をＣＰＵ６に送信するとともに、読み取り情報に基づいて所定の処理を行う。ＣＰＵ６は、通信部２３によって上位装置３０から受信完了通知を受けると、上位装置３０との通信を終了して、ＲＡＭ８から読み取り情報を消去する消去処理を図６のフローチャートに従って実行する（ステップＳ１１）。なお、上位装置３０が上記の受信完了通知ではなく、受信した読み取り情報に基づく所定の処理を完了したことを知らせる処理完了通知を送信した場合は、ＣＰＵ６は、通信部２３によってこの処理完了通知を受けると、上位装置３０との通信を終了して、ステップＳ１１の消去処理を実行する。
【００３５】
図６において、ＣＰＵ６は、まず、読み取り情報記憶領域Ｒａ内のトラック１領域Ｒ１に記憶されている情報の消去を開始し（ステップＳ１０１）、次に、トラック２領域Ｒ２に記憶されている情報の消去を開始する（ステップＳ１０２）。そしてさらに、トラック３領域Ｒ３に記憶されている情報の消去を開始すると（ステップＳ１０３）、処理を終了して、図５のステップＳ１２へ移行する。
【００３６】
図５のステップＳ１２において、ＣＰＵ６は、磁気カード２を返却するためにシャッタ３を開く。シャッタ３を開くと、モータ１７を逆転駆動し、磁気カード２をＢ方向へ搬送して本体内部１ａから排出して行く（ステップＳ１３）。そして、第１センサ１１がＯＮ状態になった後ＯＦＦ状態になると（ステップＳ１４：ＹＥＳ）、磁気カード２の後端部２ｂが挿入口１ｂから突出して、磁気カード２が本体内部１ａから取り出し可能な状態、つまり磁気カード２が返却された状態になるので、モータ１７の駆動を停止して（ステップＳ１５）、処理を終了する。この後は、利用者が磁気カード２を磁気カードリーダライタ１０から抜き取る。
【００３７】
上記手順のように、ＲＡＭ８のトラック３領域Ｒ３に記憶された読み取り情報の消去を開始した後に磁気カード２を本体内部１ａから排出すると、磁気カード２の排出時や排出後、つまり磁気カード２の返却時や返却後には、読み取り情報がＲＡＭ８から消去中であるか、あるいは消去されている。そのため、磁気カード２の返却時や返却後に、ＲＡＭ８に記憶された読み取り情報が第三者に漏洩するのを防止することができる。また、読み取り情報は磁気カード２に固有の識別情報であって、これの第三者への漏洩が防止できるので、識別情報から磁気カードが偽造されて悪用されることも防止できる。
【００３８】
図７は、消去処理の他の実施形態を示すフローチャートである。図５のステップＳ１１でＲＡＭ８から読み取り情報を消去するにあたり、ＣＰＵ６は、まず、読み取り情報記憶領域Ｒａ内のトラック１領域Ｒ１に記憶されている情報の消去を開始し、これと同時に、タイマ２２によって情報の消去を開始してからの時間の計測を開始する（ステップＳ１１１）。そして引き続き、トラック２領域Ｒ２に記憶されている情報の消去を開始し（ステップＳ１１２）、さらにトラック３領域Ｒ３に記憶されている情報の消去を開始する（ステップＳ１１３）。トラック３領域Ｒ３の情報の消去を開始すると、ＣＰＵ６はタイマ２２を参照して、消去完了時間が経過したか否かを判定する（ステップＳ１１４）。ここで、消去完了時間とは、読み取り情報記憶領域Ｒａ内の３つの領域Ｒ１〜Ｒ３のそれぞれに最大容量の情報を記憶し、その記憶した情報をそれぞれの領域Ｒ１〜Ｒ３から全て消去するのに要する時間のことであって、予め計測されてＲＡＭ８の別の記憶領域に記憶されている。本実施形態では、消去完了時間として３秒が設定されている。ステップＳ１１４において、消去完了時間（３秒）が経過すると（ステップＳ１１４：ＹＥＳ）、ＣＰＵ６は、領域Ｒ１〜Ｒ３の読み取り情報の消去を全て完了したと判断して、タイマ２２による時間の計測を停止し（ステップＳ１１５）、消去処理を終了する。この後は、図５のステップＳ１２へ移行し、上述した手順と同様にしてステップＳ１２〜ステップＳ１５の処理を実行する。
【００３９】
上記手順のようにすると、磁気カード２の排出時や排出後、つまり磁気カード２の返却時や返却後には、読み取り情報がＲＡＭ８の３つ領域Ｒ１〜Ｒ３から完全に消去されているので、ＲＡＭ８に記憶された読み取り情報が第三者に漏洩するのを一層確実に防止することができる。
【００４０】
図８は、磁気カードリーダライタ１０の情報書き込み時の動作手順を示すフローチャートであって、本発明に係る情報書き込み装置用プログラムに基づいてＣＰＵ６が実行する処理を示している。なお、ここで磁気カードリーダライタ１０が取り扱う磁気カード２は、３つのトラックＴ１〜Ｔ３にまだ何も情報を記憶していない新規の磁気カードであり、以下では、この磁気カード２の３つのトラックＴ１〜Ｔ３に固有の識別情報を書き込む場合を説明する。図８において、挿入口１ｂから磁気カード２が挿入されると、挿入検知センサ９がＯＮ状態になるので（ステップＳ２１：ＹＥＳ）、この信号を受けてＣＰＵ６は、モータ１７を正転駆動し、磁気カード２をＦ方向へ搬送して本体内部１ａに取り込んで行く（ステップＳ２２）。そして、第１センサ１１がＯＮ状態になった後ＯＦＦ状態になると（ステップＳ２３：ＹＥＳ）、磁気カード２が本体内部１ａに取り込まれたと判断して、シャッタ３を閉じ（ステップＳ２４）、続けて、モータ１７の駆動を停止して（ステップＳ２５）、磁気カード２の搬送を停止する。モータ１７の駆動を停止すると、通信部２３によって上位装置３０と通信を行い、磁気カード２のトラックＴ１〜Ｔ３に書き込む書き込み情報を上位装置３０から受信する（ステップＳ２６）。そして、受信した書き込み情報をＲＡＭ８の書き込み情報記憶領域Ｗａ内の領域Ｗ１〜Ｗ３にトラック毎に記憶する（ステップＳ２７）。なお、ここで記憶した書き込み情報は、前述したように磁気カード２に固有の識別情報である。
【００４１】
書き込み情報をＲＡＭ８に記憶すると、モータ１７を正転駆動して（ステップＳ２８）、磁気カード２をＦ方向へ搬送して行き、第２センサ１２が磁気カード２を検知してＯＮ状態になると（ステップＳ２９：ＹＥＳ）、磁気ヘッド５によって磁気カード２のトラックＴ１〜Ｔ３にＲＡＭ８に記憶した書き込み情報の書き込みを開始する（ステップＳ３０）。そして、第３センサ１３がＯＮ状態になると（ステップＳ３１：ＹＥＳ）、磁気ヘッド５による情報の書き込みを停止し、これとともにモータ１７の駆動を停止して（ステップＳ３２）、磁気カード２の搬送を停止する。停止後は、ＲＡＭ８から書き込み情報を消去する消去処理を、上述した図６のフローチャートまたは図７のフローチャートに従って実行する（ステップＳ３３）。
【００４２】
ここでは、ステップＳ３３の消去処理を図６のフローチャートに従って実行した場合を説明する。図６において、ＣＰＵ６は、まず、書き込み情報記憶領域Ｗａ内のトラック１領域Ｗ１に記憶されている情報の消去を開始し（ステップＳ１０１）、次に、トラック２領域Ｗ２に記憶されている情報の消去を開始する（ステップＳ１０２）。そしてさらに、トラック３領域Ｗ３に記憶されている情報の消去を開始すると（ステップＳ１０３）、処理を終了して、図８のステップＳ３４へ移行する。
【００４３】
図８のステップＳ３４において、ＣＰＵ６は、磁気カード２を返却するためにシャッタ３を開く。シャッタ３を開くと、モータ１７を逆転駆動し、磁気カード２をＢ方向へ搬送して本体内部１ａから排出して行く（ステップＳ３５）。そして、第１センサ１１がＯＮ状態になった後ＯＦＦ状態になると（ステップＳ３６：ＹＥＳ）、磁気カード２の後端部２ｂが挿入口１ｂから突出して、磁気カード２が本体内部１ａから取り出し可能な状態、つまり磁気カード２が返却された状態になるので、モータ１７の駆動を停止して（ステップＳ３７）、処理を終了する。この後は、利用者が磁気カード２を磁気カードリーダライタ１０から抜き取る。
【００４４】
上記手順のように、ＲＡＭ８のトラック３領域Ｗ３に記憶された読み取り情報の消去を開始した後に、磁気カード２を本体内部１ａから排出すると、磁気カード２の排出時や排出後、つまり磁気カード２の返却時や返却後には、書き込み情報がＲＡＭ８から消去中であるか、あるいは消去されている。そのため、磁気カード２の返却時や返却後に、ＲＡＭ８に記憶された書き込み情報が第三者に漏洩するのを防止することができる。また、書き込み情報は磁気カード２に固有の識別情報であって、これの第三者への漏洩が防止できるので、識別情報から磁気カードが偽造されて悪用されることも防止できる。
【００４５】
なお、ステップＳ３３の消去処理を図６のフローチャートに代えて図７のフローチャートに従って実行した場合には、ＲＡＭ８の書き込み情報記憶領域Ｗａ内にある３つの領域Ｗ１〜Ｗ３の全ての情報の消去が完了した後（図７のステップＳ１１４：ＹＥＳ）に、磁気カード２が本体内部１ａから排出される（図８のステップＳ３５）。このため、磁気カード２の排出時や排出後、つまり磁気カード２の返却時や返却後に、ＲＡＭ８に記憶された書き込み情報が第三者に漏洩するのを一層確実に防止することができる。
【００４６】
以上述べた実施形態においては、モータ１７を逆転駆動してローラ４を回転させることで、磁気カード２を本体内部１ａから排出する例を挙げているが、本発明はこれのみに限定するものではない。本発明の排出手段としては、これ以外に、例えば磁気カード２の先端部２ａにばねを当接させ、そのばねの弾性力によって磁気カード２を本体内部１ａから押し出して排出するようなものであってもよい。
【００４７】
また、図８に示した実施形態では、磁気カード２を本体内部１ａに取り込んだ後に、上位装置３０から書き込み情報を受信してＲＡＭ８に記憶した例を挙げているが、本発明はこれのみに限定するものではない。これ以外に、例えば磁気カード２が挿入口１ｂから挿入される前に、予め上位装置３０から書き込み情報を受信してＲＡＭ８に記憶しておいてもよい。
【００４８】
また、上記実施形態では、本発明の情報記憶媒体として磁気カード２を用いた例を挙げているが、本発明はこれのみに限定するものではない。これ以外に、例えばＩＣカードや非接触カード、または鉄道等で用いられる磁気券のような媒体であってもよい。
【００４９】
さらに、上記実施形態では、本発明に係る情報読み取り装置および情報書き込み装置として磁気カードリーダライタ１０を用いた例を挙げているが、本発明はこれのみに限定するものではない。これ以外に、例えば磁気カードやＩＣカードに対して情報の読み取りだけを行うカードリーダや、情報の書き込みだけを行うカードライタのようなものであってもよい。また、情報記憶媒体を排出する排出手段を備えておらず、情報記憶媒体を本体内部から手動で取り出す手動式の情報読み取り装置および情報書き込み装置であってもよい。
【００５０】
図９は、上記の手動式の情報読み取り装置および情報書き込み装置を構成するカードリーダライタの概略構造を示す図である。図９において、４０はＩＣカード４２に対して情報の処理を行うカードリーダライタである。４１はカードリーダライタ４０の本体、４１ａは本体４１の内部空間（以下、本体内部と記す）、４１ｂはＩＣカード４２がＦ方向へ挿入される挿入口である。４２ａはＩＣカード４２の先端部、４２ｂは後端部、４２ｃはＩＣ接点部である。４３はＩＣヘッドであって、ＩＣカード４２のＩＣ接点部４２ｃに接触する接触端子４３ａと、この接触端子４３ａに流す電流を制御する電流制御部４３ｂとを備えている。このＩＣヘッド４３は、電流制御部４３ｂにより接触端子４３ａに所定の電流を流すことで、ＩＣカード４２に対して情報の読み取りまたは書き込みを行う。ＩＣヘッド４３は、本発明における読み取り手段および書き込み手段を構成する。４４はＩＣカード４２が本体内部４１ａに完全に挿入されたことを検知する完全挿入検知センサであって、マイクロスイッチから構成される。４５はＩＣカード４２が本体内部４１ａから完全に取り出されたことを検知する完全取出検知センサであって、フォトマイクロセンサから構成される。
【００５１】
４６はソレノイド（図示省略）によってＵ、Ｄ方向に開閉するシャッタである。このシャッタ４６は常時開いた状態になっていて、ＩＣカード４２が挿入口４１ｂから挿入された後に、図９に示すように閉じた状態になり、ＩＣカード４２が本体内部４１ａから取り出されることを規制する。また、シャッタ４６は、ＩＣカード４２を返却する際、Ｕ方向に移動して開いた状態になり、ＩＣカード４２に対する取り出しの規制を解除する。これによってＩＣカード４２が本体内部４１ａから取り出し可能になる。シャッタ４６は、本発明における規制手段を構成する。なお、規制手段としては、シャッタ４６に代えて、ＩＣカード４２を本体内部４１ａから取り出させないようにＩＣカード４２の後端部４２ｂをロックするロック部材を用いてもよい。
【００５２】
上述した以外に、カードリーダライタ４０には、カードリーダライタ４０の各部を制御するＣＰＵや、ＣＰＵの動作プログラム等を記憶したＲＯＭや、ＣＰＵの制御データを読み書き可能に記憶するＲＡＭや、上位装置と相互に通信を行うための通信部や、時間を計測するためのタイマ等が備わっている（いずれも図９では図示省略）。ＲＡＭにはＩＣカード４２から読み取った読み取り情報を記憶するための読み取り情報記憶領域と、ＩＣカード４２に書き込む書き込み情報を記憶するための書き込み情報記憶領域が設けられている。ＣＰＵは、このＲＡＭの２つの記憶領域にそれぞれ読み取り情報または書き込み情報を記憶し、２つの記憶領域から記憶した読み取り情報または書き込み情報を消去する。通信部は、上位装置に読み取り情報を送信したり、上位装置から書き込み情報を受信する。ＣＰＵは、本発明における消去手段を構成し、ＲＡＭは、本発明における記憶手段を構成し、通信部は、本発明における送信手段および受信手段を構成する。
【００５３】
図１０は、上記カードリーダライタ４０の情報読み取り時の動作手順を示すフローチャートであって、ＣＰＵが実行する処理を示している。図１０において、挿入口４１ｂからＩＣカード４２が挿入されると、完全挿入検知センサ４４がＯＮ状態になり（ステップＳ４１：ＹＥＳ）、この信号を受けてＣＰＵは、ＩＣカード４２が本体内部４１ａに完全に挿入されたと判断して、シャッタ４６を閉じる（ステップＳ４２）。そして、ＩＣヘッド４３によってＩＣカード４２から情報を読み取り（ステップＳ４３）、読み取った情報をＲＡＭの読み取り情報記憶領域に記憶する（ステップＳ４４）。
【００５４】
読み取り情報をＲＡＭに記憶すると、通信部によって上位装置と通信を行い、ＲＡＭに記憶した読み取り情報を上位装置に送信する（ステップＳ４５）。そして、図５で説明したように上位装置から受信完了通知または処理完了通知を受けると、上位装置との通信を終了して、ＲＡＭから読み取り情報を消去する（ステップＳ４６）。このとき、読み取り情報の消去を開始すると、シャッタ４６を開いて（ステップＳ４７）、ＩＣカード４２を本体内部４１ａから取り出し可能にし、処理を終了する。なお、図７で説明した手順と同様に、タイマによって計測する時間に基づいてＲＡＭから読み取り情報の消去が完了したことを判断した後に、シャッタ４６を開いて（ステップＳ４７）、ＩＣカード４２を本体内部４１ａから取り出し可能にしてもよい。処理終了後は、利用者が挿入口４１ｂに指を入れてＩＣカード４２をつかみ、これをカードリーダライタ４０から取り出す。
【００５５】
上記手順のようにすると、排出手段を備えておらずＩＣカード４２を本体内部４１ａから手動で取り出す手動式のカードリーダライタ４０であっても、ＩＣカード４２の取り出し時や取り出し後、つまりＩＣカード４２の返却時や返却後には、読み取り情報がＲＡＭから消去中であるか、あるいは消去されている。そのため、ＩＣカード４２の返却時や返却後に、ＲＡＭに記憶された読み取り情報が第三者に漏洩するのを防止することができる。
【００５６】
図１１は、カードリーダライタ４０の情報書き込み時の動作手順を示すフローチャートであって、ＣＰＵが実行する処理を示している。図１１において、挿入口４１ｂからＩＣカード４２が挿入されると、完全挿入検知センサ４４がＯＮ状態になり（ステップＳ５１：ＹＥＳ）、この信号を受けてＣＰＵは、ＩＣカード４２が本体内部４１ａに完全に挿入されたと判断して、シャッタ４６を閉じる（ステップＳ５２）。そして、通信部によって上位装置と通信を行い、ＩＣカード４２に書き込む情報を上位装置から受信して（ステップＳ５３）、受信した書き込み情報をＲＡＭの書き込み情報記憶領域に記憶する（ステップＳ５４）。
【００５７】
書き込み情報をＲＡＭに記憶すると、ＩＣヘッド４３によってＩＣカード４２へＲＡＭに記憶した書き込み情報を書き込む（ステップＳ５５）。そして、書き込み情報の書き込みが完了すると、ＲＡＭから書き込み情報を消去する（ステップＳ５６）。このとき、書き込み情報の消去を開始すると、シャッタ４６を開いて（ステップＳ５７）、ＩＣカード４２を本体内部４１ａから取り出し可能にし、処理を終了する。なお、図７で説明した手順と同様に、タイマによって計測する時間に基づいてＲＡＭから読み取り情報の消去が完了したことを判断した後に、シャッタ４６を開いて（ステップＳ５７）、ＩＣカード４２を本体内部４１ａから取り出し可能にしてもよい。処理終了後は、利用者が挿入口４１ｂに指を入れてＩＣカード４２をつかみ、これをカードリーダライタ４０から取り出す。
【００５８】
上記手順のようにすると、排出手段を備えておらずＩＣカード４２を本体内部４１ａから手動で取り出す手動式のカードリーダライタ４０であっても、ＩＣカード４２の取り出し時や取り出し後、つまりＩＣカード４２の返却時や返却後には、書き込み情報がＲＡＭから消去中であるか、あるいは消去されている。そのため、ＩＣカード４２の返却時や返却後に、ＲＡＭに記憶された書き込み情報が第三者に漏洩するのを防止することができる。
【００５９】
【発明の効果】
本発明によれば、記憶手段から情報の消去を開始した後に、情報記憶媒体を本体内部から排出または取り出し可能にすることにより、情報記憶媒体の返却時や返却後には、情報が記憶手段から消去中であるか、あるいは消去されているので、記憶手段に記憶された情報が第三者に漏洩するのを防止することができる。
【図面の簡単な説明】
【図１】磁気カードリーダライタの概略構造を示す図である。
【図２】磁気カードの外形と磁気ヘッドの構造を示す図である。
【図３】磁気カードリーダライタの電気的構成を示すブロック図である。
【図４】ＲＡＭの記憶領域の一部を示す図である。
【図５】磁気カードリーダライタの情報読み取り時のフローチャートである。
【図６】ＲＡＭから情報を消去する消去処理を示すフローチャートである。
【図７】他の実施形態の消去処理を示すフローチャートである。
【図８】磁気カードリーダライタの情報書き込み時のフローチャートである。
【図９】他の実施形態のカードリーダライタの概略構造を示す図である。
【図１０】他の実施形態の情報読み取り時のフローチャートである。
【図１１】他の実施形態の情報書き込み時のフローチャートである。
【符号の説明】
１ａ    本体内部
２      磁気カード
４      ローラ
５      磁気ヘッド
６      ＣＰＵ
８      ＲＡＭ
１０    磁気カードリーダライタ
１７    モータ
２３    通信部
４０    カードリーダライタ
４１ａ  本体内部
４２    ＩＣカード
４３    ＩＣヘッド
４６    シャッタ
【図１】
2004280308.tif 000003
【図２】
2004280308.tif 000004
【図３】
2004280308.tif 000005
【図４】
2004280308.tif 000006
【図５】
2004280308.tif 000007
【図６】
2004280308.tif 000008
【図７】
2004280308.tif 000009
【図８】
2004280308.tif 000010
【図９】
2004280308.tif 000011
【図１０】
2004280308.tif 000012
【図１１】
2004280308.tif 000013